(57)【要約】  受光した光に対する外部光の影響を抑えることによって、青果物の特性の計測値の精度を向上させるとともに、複数範囲の波長の光を同時に測定し得る青果物の非破壊測定装置を提供する。  光を照射する発光部１と、拡散光を受光する受光部２と、受光部が検出した拡散光により透過光量を算出し検量線から青果物の評価量を演算する処理手段とを備えた青果物の非破壊測定装置Ａにおいて、基板６の表面に配設された複数の光センサ６１，６２と、各光センサの近傍に個別に配置される複数の光学フィルタ５１，５２と、光センサの周囲を個別に包囲しつつ光学フィルタを保持するフィルタ保持部５と、受光部で検出した拡散光を各光学フィルタに伝送する光伝送ケーブル３１，３２と、光伝送ケーブルの各末端を包囲しつつフィルタ保持部に接続されて、光伝送ケーブルの各末端を保持するケーブル支持部４とを備える。
2012005350.tif 000002
【特許請求の範囲】
【請求項１】
測定対象青果物に光を照射する発光部と、該発光部から照射された光が該青果物の内部で拡散した後に該青果物の外部に放出される拡散光を受信する受光部と、受光部が検出した拡散光により透過光量を算出し検量線から青果物の評価量を演算する処理手段とを備えた青果物の非破壊測定装置において、
基板上に配設された複数の光センサと、
各光センサの近傍に個別に配置され、透過波長の異なる複数の光学フィルタと、
前記光センサの周囲を個別に包囲しつつ前記光学フィルタを保持するフィルタ保持部と、
複数の光ファイバによって構成され、前記受光部で検出した拡散光を前記各光学フィルタに伝送する複数の光伝送ケーブルと、
該光伝送ケーブルの各末端を包囲しつつ前記フィルタ保持部に接続され、該光伝送ケーブルの各末端を前記各光学フィルタの近傍に保持するケーブル支持部と
を備えたことを特徴とする青果物の非破壊測定装置。
【請求項２】
さらに、前記フィルタ保持部と前記光センサとの間に介在され、該光センサの感光面中央付近を開口する遮光部材を備えたことを特徴とする請求項１に記載の青果物の非破壊測定装置。
【請求項３】
前記フィルタ保持部は、前記ケーブル支持部に対向する表面のうち、前記光学フィルタが保持される領域に凹部を形成してなるフィルタ保持部であり、前記ケーブル支持部は、前記フィルタ保持部に対向する表面のうち、前記伝送ケーブルの各末端が保持される領域に突出部分を形成してなるケーブル支持部であり、前記フィルタ保持部の凹部に前記ケーブル支持部の突出部分を嵌合することにより、該ケーブル支持部をフィルタ保持部に接続させてなることを特徴とする請求項１または２に記載の青果物の非破壊測定装置。
【請求項４】
前記複数の光学フィルタは、相互に異なる範囲の波長を通過させる複数の光学フィルタであることを特徴とする請求項１ないし３のいずれかに記載の青果物の非破壊測定装置。
【請求項５】
前記複数の光伝送ケーブルは、前記受光部近傍で集合された光伝送ケーブル群を形成し、該光伝送ケーブル群の先端が受光部内に配置されることを特徴とする請求項１ないし４のいずれかに記載の青果物の非破壊測定装置。
【請求項６】
前記光伝送ケーブルは、受光部から伝送支持部の中間において少なくとも１個のループを形成してなることを特徴とする請求項１ないし５のいずれかに記載の青果物の非破壊測定装置。
【発明の詳細な説明】
【技術分野】
【０００１】
本発明は、青果物を破壊せず、その糖度または熟度等の特性を測定するための装置に関するものである。
【背景技術】
【０００２】
青果物を破壊せずその特性を測定する装置としては、青果物に透過させた光を受光し、青果物内部において吸収された吸光度を測定する光透過型の測定装置があった（特許文献１および２参照）。上記光透過型の測定装置は、投光部と受光部とが青果物を中心に相反する側に対向して設けられるため、装置全体を固定化しなければならず、容易に移動するものではなかった。そこで、上記測定装置は専ら青果市場などにおいてコンベア上を搬送する青果物について使用されていた。【０００３】
これに対し、青果物の測定装置を移動可能にするため、投光部と受光部が近接するように配置され、青果物表面で反射した反射光を受光する光反射型または青果物内部で拡散した後に放出される拡散光を受光する光拡散型の測定装置が開発されていた（特許文献３または４参照）。この種の測定装置は、投射光源にＬＥＤを使用し、このＬＥＤにより所定波長の近赤外線を照射し、当該波長の反射率または透過率等から測定すべき特性（例えば糖度や熟度）を演算するものであった。なお、青果物から放出される透過光の光量を測定し、当該青果物の特性を判断するための方法としては、測定対象となる青果物について、実測値と測定値（吸光度計測値）との相関関係に基づく検量線を予め用意し、反射光または拡散光の測定値を当該検量線と比較することにより、青果物の特性（評価量）を算出するようにしていた（特許文献５参照）。
【先行技術文献】
【特許文献】
【０００４】
【特許文献１】特開平６−１８６１５９号公報
【特許文献２】特開２００２−１２２５３６号公報
【特許文献３】特開平５−２８８６７４号公報
【特許文献４】特開２０００−８８７４７号公報
【特許文献５】特開２００６−２２６７７５号公報
【発明の概要】
【発明が解決しようとする課題】
【０００５】
ところが、上記に示した光反射型または光拡散型の青果物測定装置では、青果物に照射する光源を特定波長とするものであるため、測定すべき青果物の特性に応じて照射される光の波長を特定していた。従って、糖度と熟度を同時に測定する場合には、異なる波長の光を数回に分けて照射し、それを順次受光しなければならず、測定に時間がかかることとなっていた。特に、多数の異なる波長の反射光または拡散光を測定することは光源の数および測定の回数を著しく増加させることとなり、装置の大型化および測定時間の長期化を招来することとなっていた。【０００６】
そこで、照射光の波長を特定せず、反射光または拡散光を分光器によって分光し、特定波長の光について測定することが考えられるものの、分光器が高価であることから測定装置全体の価格が高騰することとなっていた。【０００７】
さらに、青果物の内部に透過される光の量によって当該青果物の特性を演算する場合、照射する光および受光した光に対し外部の光が侵入することにより誤差を生じることがあった。そのため、受光部を中心に配置し、その周辺の発光部と青果物表面との間を密閉させることが検討されるが、受光部から光センサまでの伝送途中または伝送末端において外部の光が侵入する場合には、やはり誤差を生じることとなっていた。【０００８】
そこで、本発明は、上記諸点にかんがみてなされたものであって、その目的は、受光した光に対する外部光の影響を抑えることによって、青果物の特性の計測値の精度を向上させるとともに、複数範囲の波長の光を同時に測定し得る青果物の非破壊測定装置を提供することである。
【課題を解決するための手段】
【０００９】
上記目的を達成するために、本発明は、測定対象青果物に光を照射する発光部と、該青果物から放出される拡散光を受信する受光部と、受光部が検出した拡散光により透過光量を算出し検量線から青果物の評価量を演算する処理手段とを備えた青果物の非破壊測定装置において、基板上に配設された複数の光センサと、各光センサの近傍に個別に配置される複数の光学フィルタと、前記光センサの周囲を個別に包囲しつつ前記光学フィルタを保持するフィルタ保持部と、複数の光ファイバによって構成され、前記受光部で検出した拡散光を前記各光学フィルタに伝送する複数の光伝送ケーブルと、該光伝送ケーブルの各末端を包囲しつつ該末端を前記各光学フィルタの近傍に保持するケーブル支持部とを備えたことを特徴とする。【００１０】
上記構成によれば、受光部から入射した拡散光は光伝送ケーブルを経由して複数の光学フィルタに伝送され、この光学フィルタを介して所定範囲の波長の光のみが複数の光センサに到達することとなるから、同時に多数の種類の光を検知することができる。従って、いずれの光学フィルタを介した光の測定値を選択するかによって、特定の青果物について、所望する特性の判断に必要な透過光量を演算させることが可能となる。なお、拡散光とは、青果物に照射した光が当該青果物の内部で拡散した後、当該青果物から放出される光を意味し、青果物の表面で反射する光（反射光）とは異なる種類の光である。
【発明の効果】
【００１１】
本発明によれば、光学フィルタにより拡散光の特定範囲の波長の光を光センサに照射することができ、安価に拡散光を分類することが可能となる。また、光伝送ケーブルの末端はケーブル支持部によって包囲され、光センサの周辺はフィルタ保持部によって包囲され、さらに光学フィルタがフィルタ保持部の内部に保持されることにより、光の伝送経路の接続位置において遮光されることとなるから、伝送された拡散光に対する外部の光の影響を抑制し得る。【００１２】
さらに、複数の光センサに対し、同時に異なる範囲の波長の光を照射させることができることから、測定対象の青果物について、同時に多種の測定値を得ることができ、測定すべき波長の光に基づき、他種類の特性の評価量を同時に算定することができる。しかも、これら複数の波長の拡散光は一つの拡散光を分類して行われることから、短時間に測定することが可能となる。
【図面の簡単な説明】
【００１３】
【図１】本発明の実施形態を示す説明図である。
【図２】ＩＩ−ＩＩ断面図である。
【発明を実施するための形態】
【００１４】
以下、本発明の実施の形態を図面に基づいて説明する。図１は、本実施形態の内部構造を示す図である。この図に示すように、本実施形態の概略を説明すると、有底筒状の測定装置Ａの開口部付近に発光部１および受光部２が設けられ、受光部２で検知される拡散光は、光伝送ケーブル群３、およびこの光伝送ケーブル群３から分岐する個々の光伝送ケーブル３１を経由して、装置本体Ａの底部付近に設けられるケーブル支持部４に伝送される構成となっている。このケーブル支持部４は、分岐した光伝送ケーブル３１の末端を支持するとともに、光学フィルタを保持するフィルタ保持部５に連続している。このフィルタ保持部５は、光センサを有する基板６に近接して設けられている。
【００１５】
発光部１は、壁面部および底面部による有底筒状に形成された枠体１０を有しており、底部には発光体１１，１２が設けられている。この発光体１１，１２は、枠体１０の底部に設けられ、枠体１０は、当該発光体１１，１２の光を反射して、当該枠体１０の開口部に向かって光を誘導している。すなわち、枠体１０の側壁は、底面側から開口部側に向かって拡張するように傾斜させているのである。なお、この枠体１０の底面部および側面部は光を反射できるように、反射剤が塗布されているのである。また、枠体１０を支持する装置本体Ａの開口部には、円環状の緩衝部材が設けられており、発光部１を青果物Ｆの表面に当接した際に、当該青果物Ｆが損傷しないように構成されている。
【００１６】
上記の発光体１１，１２は、本実施形態では可視光から近赤外線を同時に発光することができるハロゲンランプが使用されており、受光部２の周囲に複数個（図では２個）配置されている。発光部１の中央に受光部２が設けられることから、この受光部２を中心に同心円上に配置されるものである。
【００１７】
なお、発光体１１，１２は、ハロゲンランプに限定されるものではなく、同時に幅広い範囲の波長の光を照射することができれば本実施形態の発光体として使用可能である。また、発光体１１，１２は、２個であることに限定されるものでなく、１個によって青果物を透過し、拡散光を得ることができるものであれば１個であっても３個以上であってもよい。
【００１８】
受光部２は、発光部１の枠体１０の底面を貫通する筒体で構成され、この筒体には、鍔状のブラケットが形成され、当該ブラケットが前記枠体１０の底部に当接するように設けられている。筒体の先端は開口しており、当該先端から拡散光が入射可能になっている。従って、測定対象の青果物Ｆを受光部２に当接して発光部１から光を照射することにより、発光部１の光が青果物Ｆに照射され、その内部を透過し、または乱反射した後の拡散光を受光部２から入射させることができるものである。筒体の先端には、円環状を徐々に拡幅した形状（パラボラ形）の緩衝部材２１が装着されており、青果物Ｆとの当接時に当該青果物Ｆの表面との衝撃を緩和させるようにしている。この緩衝部材２１は、円環部分が青果物表面に当接し、かつ、弾性力ある素材が使用されていることから、青果物の表面に密着することができ、少なくとも発光部１から照射される光の侵入を抑制するように構成されている。
【００１９】
このような構成の受光部２には、光伝送ケーブル３１を集中させた光伝送ケーブル群３が挿入され、当該光伝送ケーブル群３の先端は、受光部２を構成する筒体の開口部近傍に位置している。従って、受光部２の筒体内部に入射した拡散光は、これと同時に光伝送ケーブル群３の先端に入射することとなるのである。
【００２０】
この光伝送ケーブル群３は、受光部２からケーブル支持部４までの中間において、個々の光伝送ケーブル３１に分岐している。そして、個々の光伝送ケーブル３１は、極めて細い光ファイバが集合して構成されている。本実施形態では、１本の光伝送ケーブル３１に対して、約１０００本の光ファイバが使用されており、これにより、ランダム性を向上させているものである。すなわち、１本または極めて少ない本数の光ファイバによって拡散光を伝送する場合には、その少ない光ファイバに入射した光によって光量が決定することとなるが、本実施形態のように多数の光ファイバによって光伝送ケーブル３１が構成される場合には、各光ファイバに入射する光の全体によって波長ごとの光量を測定することができることから、測定される特定波長の光量について測定誤差の発生を抑制することができる。
【００２１】
また、光伝送ケーブル群３または光伝送ケーブル３１は、受光部２からケーブル支持部４の中間において全体として１個のループが形成されている。このループ形成の位置は、光伝送ケーブル３１が分岐の前後に関係なく、これらを構成する光ファイバがループを形成するようにしているのである。光ファイバがループを形成することにより、当該光ファイバが湾曲することとなるから、外部の僅かな光がクラッドに照射された場合、コアに到達しないようにしているのである。これにより、受光部２で検出された拡散光は、光伝送ケーブル群３および個々の光伝送ケーブル３１により、外部の光の影響を抑えながらケーブル支持部４まで伝送することとなるのである。
【００２２】
次に、光伝送ケーブル群３の末端および基板６の周辺構造について説明する。図２は、光伝送ケーブル群３の末端から基板６までの範囲の詳細を示す図である。この図に示すように、光伝送ケーブル群３から分岐した個々の光伝送ケーブル３１，３２，・・・は、その端部付近が被覆材３１ａ，３２ａ，・・・によって被覆されており、当該被覆材３１ａ，３２ａ，・・・を含む端部付近全体がケーブル支持部４の内部で支持されている。
【００２３】
ケーブル支持部４は、遮光率の高い樹脂によって構成されており、上記光伝送ケーブル３１，３２，・・・の先端付近が挿通可能な貫通孔４１，４２，・・・と、当該貫通孔４１，４２，・・・に対して固定ネジ４３，４４，・・・を挿通するネジ孔とが設けられている。従って、個々の光伝送ケーブル３１，３２，・・・の端部付近を被覆材３１ａ，３２ａ，・・・とともに貫通孔４１，４２，・・・に挿入し、固定ネジ４３，４４，・・・で固定することによって、当該光伝送ケーブル３１，３２，・・・の端部は、ケーブル支持部４の貫通孔内で支持されることとなり、当該貫通孔内において伝送された拡散光を照射することができることとなる。
【００２４】
光伝送ケーブル３１，３２，・・・を上記ケーブル支持部４の貫通孔内に支持する場合は、当該光伝送ケーブル３１，３２，・・・の先端が、フィルタ保持部５に対向する側の表面（対向面）に極めて近い位置で固定するのである。光伝送ケーブル３１，３２，・・・の先端がちょうど当接面に一致させる必要はないが、大きく異ならない程度に接近させて支持するものである。これは、後述の光学フィルタ５１，５２，・・・や光センサ６１，６２，・・・に光を到達させるためである。また、被覆材３１ａ，３２ａ，・・・は、上記貫通孔内に挿入される範囲よりも十分に長い範囲に設けられ、固定ネジ４３，４４，・・・の先端が必ず被覆材３１ａ，３２ａ，・・・に当接するようになっている。このように、固定ネジ４３，４４，・・・が必ず被覆材に当接することによって、光伝送ケーブル３１，３２，・・・そのものに固定ネジ４３，４４，・・・が接触することがなく、当該光伝送ケーブル３１，３２を保護することができるのである。
【００２５】
また、ケーブル支持部４のフィルタ保持部５に対向する側の表面（対向面）のうち、上記光伝送ケーブル３１，３２，・・・の先端が保持される領域には、フィルタ保持部５に向かって突出する突出部分が形成されている。この突出部分を形成するために、上記領域の周辺には凹部が設けられている。さらに、凹部の周辺に、上記突出部分よりもさらに突出する部分を形成してもよい。このように、当接面に凹凸を設けることにより、ケーブル支持部４とフィルタ保持部５とを接続する際に、両者間に僅かな間隙が生じる場合があるとしても、上記凹凸によって外部の光の侵入を抑えることができる。さらに、この凹凸が存在することにより、後述のように、フィルタ保持部５の表面に嵌合させることができるようになっている。
【００２６】
なお、固定ネジ４３，４４，・・・の締め付けにより、光伝送ケーブル３１，３２，・・・の被覆材３１ａ，３２ａ，・・・の表面が僅かながら変形することが予想されることから、その変形により生ずる間隙から外部光が侵入することを防止すべく、貫通孔４１，４２，・・・の開口部近傍において、被覆材３１ａ，３２ａ，・・・との間に遮光用樹脂材（例えば、モルトプレン（登録商標）など）ＭＰ１，ＭＰ２，・・・を貼着している。
【００２７】
上記のような構成のケーブル支持部４には、フィルタ保持部５が連続して配置されている。このフィルタ保持部５は、ケーブル支持部４と同様に遮光率の高い樹脂によって構成されている。図示のように、ケーブル支持部４とフィルタ保持部５との当接面側には、両者を一体的に連結させるための凹凸部が相互に形成されている。また、フィルタ保持部５には、適宜な大きさの貫通孔が穿設されており、この貫通孔内に光学フィルタ５１，５２，・・・が配置できるようになっている。
【００２８】
また、フィルタ保持部５のケーブル支持部４に対向する側の表面（対向面）には、上記ケーブル支持部４に形成される突出部分を嵌入できる凹部が形成され、この凹部によって光学フィルタを保持する領域が設けられている。すなわち、この凹部の中央に上記貫通孔が穿設され、その貫通孔に光学フィルタ５１，５２，・・・が保持されるものである。なお、このような凹部を形成するためには、フィルタ保持領域の周辺に突出部分が形成されており、この突出部分は、上記ケーブル支持部４の凹部に嵌入するように構成されている。さらに、上記突出部分の周辺は、前記凹部よりも深く形成された凹状部分を設けてもよく、この場合には、当該凹状部分を上記ケーブル支持部４の最も突出する部分に当接させることも可能となる。
【００２９】
従って、ケーブル支持部４とフィルタ保持部５に設けられる凹凸部を嵌合することにより、光伝送ケーブル３１，３２，・・・の末端と光学フィルタ５１，５２，・・・が連接することとなり、当該光伝送ケーブル３１，３２，・・・の端部から、光学フィルタ５１，５２，・・・に向かって拡散光が照射されることとなるのである。また、上記凹凸部は、光伝送ケーブル３１，３２，・・・の末端を挿入するための貫通孔４１，４２，・・・、および、光学フィルタ５１，５２，・・・を保持するための貫通孔から適度な距離を有しつつ、当該貫通孔を包囲するように設けられている。これにより、ケーブル支持部４とフィルタ保持部５との当接面の間隙から侵入する光は、上記凹凸部によって遮られることとなり、当該光が前記貫通孔に到達しないようにしているのである。なお、上記凹凸部により外部光を遮断する構成に代えて、ケーブル支持部４とフィルタ保持部５との当接面の周囲に、遮光用樹脂材（例えば、モルトプレン（登録商標）など）ＭＰ３，ＭＰ４を貼着する構成としてもよい。さらに、凹凸部を有する構成に加えて、遮光用樹脂材ＭＰ３，ＭＰ４を貼着する構成としてもよい。
【００３０】
ここで、光学フィルタ５１，５２，・・・は、必要な個数（例えば１４個）が配置され、それぞれが異なる波長の光を透過できるものが使用される。従って、例えば１４個の光学フィルタを使用すれば、１４種類の波長の光を得ることができ、波長７００ｎｍ付近の光から波長１０００ｎｍ付近の光を計測することを想定した場合において、その範囲内において所望波長の１４種類の光を得ることができる。これにより、分光器を用いて分光する場合と同様の効果を得ることができるのである。なお、上述した１４種類は一例であり、この数は増減することができる。また、１４種類の異なる波長の光を検知する場合であっても、青果物の特性を演算する際には、必要とすべき数種類の光の測定値のみを選択して使用することができる。さらに、光学フィルタ５１，５２，・・・により透過できる光は、中心波長から所定の波長幅を有することがあるが、上記の所望波長の光とは、中心波長を意味するものである。そして、本実施形態の光学フィルタは、中心波長の前後約５ｎｍの範囲の波長の光を透過するものが使用されているが、この中心波長前後の波長幅はこれに限定されるものではない。
【００３１】
フィルタ保持部５は、上記のように、複数（例えば１４個）の光学フィルタ５１，５２，・・・を保持するために、複数（例えば１４個）の貫通孔が穿設されている。図２では、２個の貫通孔に２個の光学フィルタ５１，５２が保持されているが、これと同様の構成が同図の紙面垂直方向に例えば７列連続させることにより、合計１４個の光学フィルタを配置することができることとなる。そして、個々の光学フィルタ５１，５２，・・・に同時に拡散光を照射するために、光伝送ケーブル３１，３２，・・・は光学フィルタ５１，５２，・・・と同数（例えば１４本）に分岐され、これらの末端は、ケーブル支持部４に同数（例えば１４個）の貫通孔４１，４２，・・・によって支持されるのである。
【００３２】
フィルタ保持部５に設けられる貫通孔は、光伝送ケーブル３１，３２，・・・に連接する開口部のほかに、光センサ６１，６２，・・・に対向する開口部が設けられている。この開口部は、基板６から突出する光センサ６１，６２，・・・を貫通孔内に配置するものであり、所定の大きさで開口させることにより、当該開口部の周辺が光センサ６１，６２，・・・を包囲できるようになっている。個々の貫通孔に対して、１個の光センサ６１，６２，・・・が配置されることにより、当該光センサ６１，６２，・・・が光学フィルタ５１，５２，・・・に対向するように配置されるのである。
【００３３】
ここで、光センサ６１，６２，・・・は、例えば、半導体基板上に作製されるＣＭＯＳセンサを使用することができ、または、基板上に複数のフォトレジスタ等を実装する構成としてもよい。いずれの場合においても、基板６の表面から光センサ６１，６２，・・・が突出することとなるため、当該光センサ６１，６２，・・・の周辺をフィルタ保持部５の開口部周辺によって包囲することにより、基板６の表面から外部の光が侵入することを抑えている。また、基板６は、例えば黒色に着色することにより、基板を透過する光を吸収させることも可能となり、遮光率を一層向上させることができる。
【００３４】
さらに、本実施形態では、フィルタ保持部５と光センサ６１，６２，・・・と間に遮光部材７１，７２，・・・を介在させている。これは、フィルタ保持部５と光センサ６１，６２，・・・と間から侵入した僅かな外部光が、両者の間隙を反射しつつ、光センサ６１，６２，・・・の感光面に到達することを抑制しているのである。遮光部材７１，７２，・・・は、遮光率の高い材質によりフィルム状に構成され、その中央付近を開口させて（円形孔を穿設して）、光センサ６１，６２，・・・の感光面中央に対して、光学フィルタ５１，５２，・・・を透過した拡散光を照射できるようにしている。
【００３５】
本実施形態は、上記のような構成であるから、発光体１１，１２によって青果物Ｆに対して光を照射することにより、青果物の内部に光が透過し、または乱反射した後、受光部２が拡散光を検出し、この受光部２で検出した拡散光は、光伝送ケーブル群３から分岐する個々の光伝送ケーブル３１，３２，・・・を経由して光学フィルタ５１，５２，・・・に伝送されることとなる。当該光学フィルタ５１，５２，・・・において透過した特定波長の光が光センサ６１，６２，・・・に到達し、当該光センサ６１，６２，・・・によって光量が測定されるのである。従って、複数の光伝送ケーブル３１，３２，・・・を経由した拡散光を波長ごとに分類し、異なる波長の光を同時に測定することができるのである。この光センサ６１，６２，・・・で測定された光量の値は、図示せぬ処理手段により演算処理され、測定対象の青果物Ｆの特性（評価量）が算出されることとなるものである。
【００３６】
評価量の算出には、予め実測値と測定値（吸光度計測値）との相関関係に基づく検量線が使用されるものであり、予め作成した検量線のデータが処理手段のメモリ内に記憶されている。使用すべき検量線は、測定される青果物の種類等によって異なることから、多種の検量線が分類されて記憶されている。そして、測定時に測定対象の青果物の種類・収穫時期などを特定することにより、適用されるべき検量線が選択され使用に供される。また、測定すべき特性（糖度、熟度または硬度など）に応じて、演算すべき光の種類（波長の範囲）を取捨選択し（具体的には、各範囲の波長の光量に係数を乗算し）、所望の特性について演算処理されるのである。
【００３７】
本実施形態は以上のとおりであるが、本発明は上記実施形態に限定されることはなく、種々の態様をとることができる。例えば、上述したように、発光部１の開口部先端には、円環状の緩衝部材が装着されており、この緩衝部材は、装置Ａの外部の光を適度に遮光するように構成しているのであるが、発光体１１，１２の光量が大きければ、十分な遮光がされない場合でも適度な精度で拡散光を測定することができる。従って、当該緩衝部材は遮光性のある材質で設けることができるが、それに限定されるものではない。
【００３８】
また、光源として複数のハロゲンランプを使用した旨を説明したが、本実施形態では、当該複数のハロゲンランプの合計が２０Ｗ前後となるように光量が調整されている。従って、２個のハロゲンランプでは、１個あたり１０Ｗのものを使用し、３個のハロゲンランプを使用する場合には、１個あたり６〜７Ｗのものを使用することとなる。このように、２０Ｗのハロゲンランプを使用する場合、約０．２５秒の照射により所望の拡散光を検出することができ、この拡散光の検出後瞬時に演算結果が出力されることから、計測開始から結果出力までの所要時間が約０．５秒という極めて短時間とすることが可能となる。
【符号の説明】
【００３９】
１  発光部
２  受光部
３  光伝送ケーブル群
４  ケーブル支持部
５  フィルタ保持部
６  基板
１１，１２  発光体（ハロゲンランプ）
２１  緩衝部材
３１，３２  光伝送ケーブル
３１ａ，３２ａ  被覆材
５１，５２  光学フィルタ
６１，６２  光センサ
７１，７２  遮光部材
【図１】
2012005350.tif 000003
【図２】
2012005350.tif 000004
【国際調査報告】
2012005350.tif 000005
2012005350.tif 000006
2012005350.tif 000007
2012005350.tif 000008